(57)【特許請求の範囲】
【請求項１】
所望チャンネルの放送信号を選択的に受信する選局手段と、
所定期間に放送予定の複数の番組の番組タイトル名情報と、チャンネル情報と、放送開始終了時刻情報とを含む電子番組表情報を外部から取得する電子番組表取得手段と、
前記電子番組表情報に基づいて前記選局手段で受信中のチャンネルの放送信号における番組が切り替わった時点、および前記選局手段で受信するチャンネルが切り替わった時点のうちの少なくとも一方の時点を区切りとして分割したコンテンツごとに一時的に記録するキャッシュ録画を行うキャッシュ録画手段と、
このキャッシュ録画手段により前記コンテンツをキャッシュ録画した直後に、このキャッシュ録画した前記コンテンツを再生する再生手段と、
前記キャッシュ録画手段によりキャッシュ録画された前記コンテンツ毎の番組タイトル名情報と、チャンネル情報と、録画開始終了時刻情報とを含むコンテンツ情報を複数登録したプレイリストを生成するプレイリスト生成手段と、
外部から入力される遡り再生指示に基づいて、前記プレイリストに登録された複数の前記コンテンツ情報に対応した前記コンテンツを、前記再生手段で現在再生している位置よりも過去にキャッシュ録画された所定位置から再生する遡り再生を行う遡り再生手段と、
前記プレイリストに登録された前記コンテンツ情報に対応する前記コンテンツの遡り再生中に外部から録画指示が入力された場合、遡り再生中のコンテンツをキャッシュ録画から通常録画に変更して保存する録画保存手段と
を備えることを特徴とする記録再生装置。
【請求項２】
前記キャッシュ録画手段による記録データ量の合計が、予め設定された一時記録制限容量を超えた場合、前記記録データ量の合計が前記一時記録制限容量を超えないようになるまで、キャッシュ録画された順番が早いコンテンツから順に、コンテンツ単位で消去する消去手段をさらに備えることを特徴とする請求項１に記載の記録再生装置。
【請求項３】
前記キャッシュ録画手段による録画時間の合計が、予め設定された一時記録制限時間を超えた場合、前記録画時間の合計が前記一時記録制限時間を超えないようになるまで、キャッシュ録画された順番が早いコンテンツから順に、コンテンツ単位で消去する消去手段をさらに備えることを特徴とする請求項１に記載の記録再生装置。
【請求項４】
前記キャッシュ録画手段による記録データ量の合計が、予め設定された一時記録制限容量を超えた場合、前記一時記録制限容量内に全く含まれないコンテンツがなくなるまで、キャッシュ録画された順番が早いコンテンツから順に、コンテンツ単位で消去する消去手段をさらに備えることを特徴とする請求項１に記載の記録再生装置。
【請求項５】
前記キャッシュ録画手段による録画時間の合計が、予め設定された一時記録制限時間を超えた場合、前記一時記録制限時間内に全く含まれないコンテンツがなくなるまで、キャッシュ録画された順番が早いコンテンツから順に、コンテンツ単位で消去する消去手段をさらに備えることを特徴とする請求項１に記載の記録再生装置。
【請求項６】
前記プレイリストに登録された前記コンテンツ情報に対応するコンテンツの遡り再生中に外部から録画指示が入力された場合に、現在受信中のチャンネルの番組の現時点からの録画保存、現在遡り再生中のコンテンツのみの録画保存、現時点でキャッシュ録画されているすべてのコンテンツの録画保存のうちのいずれの録画保存を行うかを選択するための選択画面を生成して表示する選択画面生成表示手段をさらに備えることを特徴とする請求項１乃至５のいずれか１項に記載の記録再生装置。
【請求項７】
前記電子番組表情報および前記プレイリストを用いて、現時点で放送終了時刻を経過している番組のうち、前記キャッシュ録画手段によりキャッシュ録画されたコンテンツに対応する番組を選択可能な電子番組表画面を生成して表示する電子番組表画面生成表示手段と、
前記電子番組表画面の表示中に、キャッシュ録画されたコンテンツに対応する番組を選択して録画保存する指示が入力された場合、選択された番組に対応するコンテンツをキャッシュ録画から通常録画に変更して保存する手段と
をさらに備えることを特徴とする請求項１乃至６のいずれか１項に記載の記録再生装置。
【請求項８】
所望チャンネルの放送信号を選択的に受信する選局手段と、
所定期間に放送予定の複数の番組の番組タイトル名情報と、チャンネル情報と、放送開始終了時刻情報とを含む電子番組表情報を外部から取得する電子番組表取得手段と、
前記電子番組表情報に基づいて前記選局手段で受信中のチャンネルの放送信号における番組が切り替わった時点、および前記選局手段で受信するチャンネルが切り替わった時点のうちの少なくとも一方の時点において、チャプタを指定するためのマーク情報を記録しつつ、１つの連続したコンテンツとして一時的に記録するキャッシュ録画を行うキャッシュ録画手段と、
このキャッシュ録画手段により前記コンテンツをキャッシュ録画した直後に、このキャッシュ録画した前記コンテンツを再生する再生手段と、
前記キャッシュ録画手段によりキャッシュ録画された前記コンテンツの前記チャプタ毎の番組タイトル名情報と、チャンネル情報と、録画開始終了時刻情報とを含むチャプタ識別情報を複数登録したプレイリストを生成するプレイリスト生成手段と、
外部から入力される遡り再生指示に基づいて、前記プレイリストに登録された複数の前記チャプタ識別情報に対応した前記チャプタを、前記再生手段で現在再生している位置よりも過去にキャッシュ録画された所定位置から再生する遡り再生を行う遡り再生手段と、
前記プレイリストに登録された前記チャプタ識別情報に対応する前記チャプタの遡り再生中に外部から録画指示が入力された場合、遡り再生中のチャプタをキャッシュ録画から通常録画に変更して保存する録画保存手段と
を備えることを特徴とする記録再生装置。
【請求項９】
前記キャッシュ録画手段による記録データ量の合計が、予め設定された一時記録制限容量を超えた場合、前記記録データ量の合計が前記一時記録制限容量を超えないようになるまで、キャッシュ録画された順番が早いチャプタから順に、チャプタ単位で消去する消去手段をさらに備えることを特徴とする請求項８に記載の記録再生装置。
【請求項１０】
前記キャッシュ録画手段による録画時間の合計が、予め設定された一時記録制限時間を超えた場合、前記録画時間の合計が前記一時記録制限時間を超えないようになるまで、キャッシュ録画された順番が早いチャプタから順に、チャプタ単位で消去する消去手段をさらに備えることを特徴とする請求項８に記載の記録再生装置。
【請求項１１】
前記キャッシュ録画手段による記録データ量の合計が、予め設定された一時記録制限容量を超えた場合、前記一時記録制限容量内に全く含まれないチャプタがなくなるまで、キャッシュ録画された順番が早いチャプタから順に、チャプタ単位で消去する消去手段をさらに備えることを特徴とする請求項８に記載の記録再生装置。
【請求項１２】
前記キャッシュ録画手段による録画時間の合計が、予め設定された一時記録制限時間を超えた場合、前記一時記録制限時間内に全く含まれないチャプタがなくなるまで、キャッシュ録画された順番が早いチャプタから順に、チャプタ単位で消去する消去手段をさらに備えることを特徴とする請求項８に記載の記録再生装置。
【請求項１３】
前記プレイリストに登録された前記チャプタ識別情報に対応するチャプタの遡り再生中に外部から録画指示が入力された場合に、現在受信中のチャンネルの番組の現時点からの録画保存、現在遡り再生中のチャプタのみの録画保存、現時点でキャッシュ録画されているすべてのチャプタの録画保存のうちのいずれの録画保存を行うかを選択するための選択画面を生成して表示する選択画面生成表示手段をさらに備えることを特徴とする請求項８乃至１２のいずれか１項に記載の記録再生装置。
【請求項１４】
前記電子番組表情報および前記プレイリストを用いて、現時点で放送終了時刻を経過している番組のうち、前記キャッシュ録画手段によりキャッシュ録画された前記コンテンツ内の各チャプタに対応する番組を選択可能な電子番組表画面を生成して表示する電子番組表画面生成表示手段と、
前記電子番組表画面の表示中に、キャッシュ録画された前記コンテンツ内のチャプタに対応する番組を選択して録画保存する指示が入力された場合、選択された番組に対応するチャプタをキャッシュ録画から通常録画に変更して保存する手段と
をさらに備えることを特徴とする請求項８乃至１３のいずれか１項に記載の記録再生装置。
【発明の詳細な説明】
【技術分野】
【０００１】
本発明は、ランダムアクセス可能な記録媒体を有し、再生中の番組を一時録画することで遡って再生することが可能な記録再生装置に関する。
【背景技術】
【０００２】
ハードディスクや記録型ＤＶＤ（Digital Versatile Disc）や半導体メモリなどのランダムアクセス可能な記録媒体を用いた記録再生装置には、現在放送中の番組をあたかも一時停止したり、遡って再生したりすることができる機能を有するものがある。
【０００３】
このような記録再生装置は、受信中の番組を録画するために、記録媒体に専用の一時保存領域を一定量確保するか、専用のメモリを搭載するなどして、受信中の番組を一時録画しつつ再生をすることで、上記のような機能を実現していた。
【０００４】
この種の記録再生装置について、特許文献１，２には、受信チャンネルを変更した後も引き続き受信中の番組の録画を可能とする技術が開示されている。また、特許文献３には、あらかじめ指定したチャンネルに限り、遡って番組を録画できる装置が開示されている。さらに、特許文献４には、主副の２つの録画部を設けることで、上記の機能を実現させる技術が開示されている。
【０００５】
このような記録再生装置では、装置の電源切断などにより、一時録画したコンテンツは自動消去されてしまうが、この自動消去を行わず、一時録画したコンテンツを保存する技術も提案されている。
【０００６】
例えば、特許文献５には、一時保存領域（常時録画エリアまたはバッファ領域）のタイムシフト再生中に一時保存領域の再生を継続しつつ、ユーザの録画開始指示がされた時点の再生位置から別エリアに転送を開始し、ユーザの録画停止指示された時点の再生位置までを転送終了ポイントとして、通常録画コンテンツとして保存する技術が開示されている。
【０００７】
また、特許文献６には、ユーザにより録画開始指示がされた時点の再生位置から別メディアにその再生信号を同時に記録する技術が開示されている。
【特許文献１】特開２０００−１８４３２０号公報
【特許文献２】特開２００２−１５８９５６号公報
【特許文献３】特開２００３−１０１９２３号公報
【特許文献４】特開２００５−２６９６６４号公報
【特許文献５】特開２００５−３２２９８号公報
【特許文献６】特開２００６−３３１５７６号公報
【発明の開示】
【発明が解決しようとする課題】
【０００８】
しかしながら、特許文献１〜６に開示された記録再生装置では、再生中の番組を遡って再生するために専用の一時保存領域または別デバイスを設ける必要があった。
【０００９】
また、特許文献５，６の記録再生装置では、一時録画したコンテンツを保存するために、保存する区間の開始位置と終了位置とをユーザが直接指定する必要がある。これは録画済のコンテンツにおいてユーザに編集の作業をさせているのとなんら変わらない。また、別エリアまたは別メディアへのコンテンツの転送（コピー）処理を行うため、この処理に要する時間がユーザに対する待ち時間となり、ユーザに不便さを感じさせていた。
【００１０】
さらに、特許文献６の記録再生装置では、別メディアに同時録画中はバッファ領域を遡って再生するなどの動作ができないようにする必要がある。この動作ができるようにした場合には、特殊再生の映像を録画することとなる。さらに、別メディアの録画終了はバッファ領域の再生が所望の位置まで再生されるのを待たないとできないといった不都合が生じる。
【００１１】
また、特許文献５の記録再生装置では、録画再生ともに２つづつ同時処理が必要であり、特許文献６では１つの再生処理と２つの録画が同時に発生するため、システムとして高いパフォーマンスが必要とされる。
【００１２】
本発明は上記に鑑みてなされたもので、受信中の番組を一時録画するための専用保存領域や専用デバイスを設けることなく、遡り再生を可能とし、かつ一時録画した番組を簡単な操作により録画保存することができる記録再生装置を提供することを目的とする。
【課題を解決するための手段】
【００１３】
上記目的を達成するため、請求項１に記載の発明は、所望チャンネルの放送信号を選択的に受信する選局手段と、所定期間に放送予定の複数の番組の番組タイトル名情報と、チャンネル情報と、放送開始終了時刻情報とを含む電子番組表情報を外部から取得する電子番組表取得手段と、前記電子番組表情報に基づいて前記選局手段で受信中のチャンネルの放送信号における番組が切り替わった時点、および前記選局手段で受信するチャンネルが切り替わった時点のうちの少なくとも一方の時点を区切りとして分割したコンテンツごとに一時的に記録するキャッシュ録画を行うキャッシュ録画手段と、このキャッシュ録画手段により前記コンテンツをキャッシュ録画した直後に、このキャッシュ録画した前記コンテンツを再生する再生手段と、前記キャッシュ録画手段によりキャッシュ録画された前記コンテンツ毎の番組タイトル名情報と、チャンネル情報と、録画開始終了時刻情報とを含むコンテンツ情報を複数登録したプレイリストを生成するプレイリスト生成手段と、外部から入力される遡り再生指示に基づいて、前記プレイリストに登録された複数の前記コンテンツ情報に対応した前記コンテンツを、前記再生手段で現在再生している位置よりも過去にキャッシュ録画された所定位置から再生する遡り再生を行う遡り再生手段と、前記プレイリストに登録された前記コンテンツ情報に対応する前記コンテンツの遡り再生中に外部から録画指示が入力された場合、遡り再生中のコンテンツをキャッシュ録画から通常録画に変更して保存する録画保存手段とを備えることを特徴とする。
【００１４】
請求項２に記載の発明は、請求項１に記載の記録再生装置において、前記キャッシュ録画手段による記録データ量の合計が、予め設定された一時記録制限容量を超えた場合、前記記録データ量の合計が前記一時記録制限容量を超えないようになるまで、キャッシュ録画された順番が早いコンテンツから順に、コンテンツ単位で消去する消去手段をさらに備えることを特徴とする。
【００１５】
請求項３に記載の発明は、請求項１に記載の記録再生装置において、前記キャッシュ録画手段による録画時間の合計が、予め設定された一時記録制限時間を超えた場合、前記録画時間の合計が前記一時記録制限時間を超えないようになるまで、キャッシュ録画された順番が早いコンテンツから順に、コンテンツ単位で消去する消去手段をさらに備えることを特徴とする。
【００１６】
請求項４に記載の発明は、請求項１に記載の記録再生装置において、前記キャッシュ録画手段による記録データ量の合計が、予め設定された一時記録制限容量を超えた場合、前記一時記録制限容量内に全く含まれないコンテンツがなくなるまで、キャッシュ録画された順番が早いコンテンツから順に、コンテンツ単位で消去する消去手段をさらに備えることを特徴とする。
【００１７】
請求項５に記載の発明は、請求項１に記載の記録再生装置において、前記キャッシュ録画手段による録画時間の合計が、予め設定された一時記録制限時間を超えた場合、前記一時記録制限時間内に全く含まれないコンテンツがなくなるまで、キャッシュ録画された順番が早いコンテンツから順に、コンテンツ単位で消去する消去手段をさらに備えることを特徴とする。
【００１８】
請求項６に記載の発明は、請求項１乃至５のいずれか１項に記載の記録再生装置において、前記プレイリストに登録された前記コンテンツ情報に対応するコンテンツの遡り再生中に外部から録画指示が入力された場合に、現在受信中のチャンネルの番組の現時点からの録画保存、現在遡り再生中のコンテンツのみの録画保存、現時点でキャッシュ録画されているすべてのコンテンツの録画保存のうちのいずれの録画保存を行うかを選択するための選択画面を生成して表示する選択画面生成表示手段をさらに備えることを特徴とする。
【００１９】
請求項７に記載の発明は、請求項１乃至６のいずれか１項に記載の記録再生装置において、前記電子番組表情報および前記プレイリストを用いて、現時点で放送終了時刻を経過している番組のうち、前記キャッシュ録画手段によりキャッシュ録画されたコンテンツに対応する番組を選択可能な電子番組表画面を生成して表示する電子番組表画面生成表示手段と、前記電子番組表画面の表示中に、キャッシュ録画されたコンテンツに対応する番組を選択して録画保存する指示が入力された場合、選択された番組に対応するコンテンツをキャッシュ録画から通常録画に変更して保存する手段とをさらに備えることを特徴とする。
【００２０】
請求項８に記載の発明は、所望チャンネルの放送信号を選択的に受信する選局手段と、所定期間に放送予定の複数の番組の番組タイトル名情報と、チャンネル情報と、放送開始終了時刻情報とを含む電子番組表情報を外部から取得する電子番組表取得手段と、前記電子番組表情報に基づいて前記選局手段で受信中のチャンネルの放送信号における番組が切り替わった時点、および前記選局手段で受信するチャンネルが切り替わった時点のうちの少なくとも一方の時点において、チャプタを指定するためのマーク情報を記録しつつ、１つの連続したコンテンツとして一時的に記録するキャッシュ録画を行うキャッシュ録画手段と、このキャッシュ録画手段により前記コンテンツをキャッシュ録画した直後に、このキャッシュ録画した前記コンテンツを再生する再生手段と、前記キャッシュ録画手段によりキャッシュ録画された前記コンテンツの前記チャプタ毎の番組タイトル名情報と、チャンネル情報と、録画開始終了時刻情報とを含むチャプタ識別情報を複数登録したプレイリストを生成するプレイリスト生成手段と、外部から入力される遡り再生指示に基づいて、前記プレイリストに登録された複数の前記チャプタ識別情報に対応した前記チャプタを、前記再生手段で現在再生している位置よりも過去にキャッシュ録画された所定位置から再生する遡り再生を行う遡り再生手段と、前記プレイリストに登録された前記チャプタ識別情報に対応する前記チャプタの遡り再生中に外部から録画指示が入力された場合、遡り再生中のチャプタをキャッシュ録画から通常録画に変更して保存する録画保存手段とを備えることを特徴とする。
【００２１】
請求項９に記載の発明は、請求項８に記載の記録再生装置において、前記キャッシュ録画手段による記録データ量の合計が、予め設定された一時記録制限容量を超えた場合、前記記録データ量の合計が前記一時記録制限容量を超えないようになるまで、キャッシュ録画された順番が早いチャプタから順に、チャプタ単位で消去する消去手段をさらに備えることを特徴とする。
【００２２】
請求項１０に記載の発明は、請求項８に記載の記録再生装置において、前記キャッシュ録画手段による録画時間の合計が、予め設定された一時記録制限時間を超えた場合、前記録画時間の合計が前記一時記録制限時間を超えないようになるまで、キャッシュ録画された順番が早いチャプタから順に、チャプタ単位で消去する消去手段をさらに備えることを特徴とする。
【００２３】
請求項１１に記載の発明は、請求項８に記載の記録再生装置において、前記キャッシュ録画手段による記録データ量の合計が、予め設定された一時記録制限容量を超えた場合、前記一時記録制限容量内に全く含まれないチャプタがなくなるまで、キャッシュ録画された順番が早いチャプタから順に、チャプタ単位で消去する消去手段をさらに備えることを特徴とする。
【００２４】
請求項１２に記載の発明は、請求項８に記載の記録再生装置において、前記キャッシュ録画手段による録画時間の合計が、予め設定された一時記録制限時間を超えた場合、前記一時記録制限時間内に全く含まれないチャプタがなくなるまで、キャッシュ録画された順番が早いチャプタから順に、チャプタ単位で消去する消去手段をさらに備えることを特徴とする。
【００２５】
請求項１３に記載の発明は、請求項８乃至１２のいずれか１項に記載の記録再生装置において、前記プレイリストに登録されたチャプタの遡り再生中に外部から録画指示が入力された場合に、現在受信中のチャンネルの番組の現時点からの録画保存、現在遡り再生中のチャプタのみの録画保存、現時点でキャッシュ録画されているすべてのチャプタの録画保存のうちのいずれの録画保存を行うかを選択するための選択画面を生成して表示する選択画面生成表示手段をさらに備えることを特徴とする。
【００２６】
請求項１４に記載の発明は、請求項８乃至１３のいずれか１項に記載の記録再生装置において、前記電子番組表情報および前記プレイリストを用いて、現時点で放送終了時刻を経過している番組のうち、前記キャッシュ録画手段によりキャッシュ録画された前記コンテンツ内の各チャプタに対応する番組を選択可能な電子番組表画面を生成して表示する電子番組表画面生成表示手段と、前記電子番組表画面の表示中に、キャッシュ録画された前記コンテンツ内のチャプタに対応する番組を選択して録画保存する指示が入力された場合、選択された番組に対応するチャプタをキャッシュ録画から通常録画に変更して保存する手段とをさらに備えることを特徴とする。
【発明の効果】
【００２７】
本発明の記録再生装置によれば、受信中の番組を一時録画するための専用保存領域や専用デバイスを設けることなく、遡り再生を可能とし、かつ一時録画した番組を簡単な操作により録画保存することができる。
【発明を実施するための最良の形態】
【００２８】
以下、本発明を実施するための最良の形態について、図面を参照して説明する。
【００２９】
図１は本発明の実施の形態に係る記録再生装置の構成を示すブロック図である。図１に示すように、本発明の実施の形態に係る記録再生装置は、所望チャンネルの放送信号を受信して受信信号を得るチューナ１と、受信信号をＭＰＥＧ等の符号化方式で符号化するエンコーダ２と、符号化された符号化データを記録するためのハードディスクやＤＶＤ−ＲＷなどのランダムアクセス可能な記録媒体を有するデジタルビデオレコーダ（ＤＶＲ）３と、符号化データを復号するデコーダ４と、アナログ放送波の垂直帰線区間（ＶＢＩ：Vertical Blanking Interval）に重畳された信号から電子番組表情報を取得して解析するＥＰＧアナライザ５と、ＤＶＲ３にキャッシュ録画したコンテンツのコンテンツ情報を登録したバーチャルプレイリスト（ＶＰＬ）を生成してこれを保持するコンテンツ情報管理部６と、オンスクリーンディスプレイ（ＯＳＤ）７と、中央処理装置（ＣＰＵ）８とを備えて構成されており、テレビモニタ９に接続されている。ＣＰＵ８は、装置に設けられた各部を統括的に制御する。
【００３０】
なお、電子番組表情報は、デジタル放送信号に含まれるＳＩ（Service Information）データから取得してもよいし、インターネットから取得してもよい。電子番組表情報には、各放送番組の番組タイトル名情報、ジャンルコード情報、チャンネル情報、放送開始終了時刻情報等が含まれている。
【００３１】
次に、以上のように構成された記録再生装置の動作について説明する。まず、記録時の動作を説明する。ＣＰＵ８の制御の下にチューナ１により選局された所望チャンネルのアナログ放送信号がベースバンド帯の受信信号に周波数変換されてエンコーダ２に供給され、ここでＭＰＥＧ等の動画像符号化方式で所望チャンネルの放送番組のデジタルビデオ信号にエンコードされた後、ＤＶＲ３に書き込まれる。なお、図示しないデジタルチューナによりデジタル放送信号が受信された場合には、受信されたストリームがそのままＤＶＲ３に記録されるか、ダウンコンバートしてＤＶＲ３に記録される。
【００３２】
次に、再生時の動作を説明する。ＣＰＵ８の制御の下にＤＶＲ３より読み出されたデジタルビデオ信号は、デコーダ４により所望チャンネルの放送番組のビデオ信号に戻されて、ＯＳＤ７で動作状態などを付加させた後、テレビモニタ９に出力され視聴される。また、ＥＰＧアナライザ５は、アナログ放送信号のＶＢＩやデジタル放送信号のＳＩデータ、またはインターネットなどより電子番組表情報を取得し、データ内容を解析し、番組表などの表示形式にしてＯＳＤ７で表示させる。ユーザはリモコン操作により任意の放送番組を選択し、録画予約の設定、また解除を画面上で行うことが可能である。
【００３３】
本実施の形態に係る記録再生装置においては、ユーザ操作により選局されているチャンネルを受信再生中に、録画予約操作および通常の録画操作を伴わずとも、常時録画動作を行う。以下、この録画動作を適宜キャッシュ録画と呼ぶ。このキャッシュ録画した部分を再生することで、ユーザにとっては、あたかも視聴中の番組を確認したい画面まで戻して見たり、一時停止などで画面を確認したりすることが可能となる。また、予約録画して後で視聴する目的ではなく、リアルタイムの視聴中に電話や所用で席を離れたりした場合にも放送を戻して視聴することができる。
【００３４】
ここで、本実施の形態に係る記録再生装置のキャッシュ録画時の動作を説明する。図２は本実施の形態に係る記録再生装置のキャッシュ録画時の動作を示すフローチャートである。
【００３５】
まず、ステップＳ１１０において、ＣＰＵ８は、記録再生装置の起動とともに、チューナ１で受信しているチャンネルの放送信号をエンコーダ２により符号化させ、符号化された符号化データをＤＶＲ３に記録させる。ここでＤＶＲ３に記録された符号化データは、記録直後に読み出されて、デコーダ４により受信チャンネルの放送番組のビデオ信号に戻されて、ＯＳＤ７を介してテレビモニタ９に出力され、ユーザに視聴される。
【００３６】
次いで、ステップＳ１２０において、ＣＰＵ８は、ユーザのリモコン操作により入力される指示に基づき、キャッシュ録画を終了するか否かを判断する。ここで、ＣＰＵ８は、記録再生装置の電源を切断する指示、またはキャッシュ録画機能を停止する指示が入力された場合に、キャッシュ録画を終了すると判断する。キャッシュ録画を停止する場合（ステップＳ１２０：ＹＥＳ）、ステップＳ１９０に進み、キャッシュ録画を停止しない場合（ステップＳ１２０：ＮＯ）、ステップＳ１３０に進む。
【００３７】
ステップＳ１３０において、ＣＰＵ８は、受信している番組が別番組に切り替わったか否かを判断する。ここで、ＣＰＵ８は、受信チャンネルは同じだが時間経過により番組が切り替わったことを電子番組表情報により検出した場合、またはユーザのリモコン操作に基づくチャンネル切り替え指示に基づいて受信チャンネルを切り替えた場合に、別番組に切り替わったと判断する。別番組に切り替わった場合（ステップＳ１３０：ＹＥＳ）、ステップＳ１４０に進み、別番組に切り替わっていない場合（ステップＳ１３０：ＮＯ）、ステップＳ１６０に進む。
【００３８】
ステップＳ１４０において、ＣＰＵ８は、切り替わり後の番組を別コンテンツとしてＤＶＲ３に記録させる。図３はコンテンツの記録状態を示す概念図である。図３に示すコンテンツＡ〜Ｄは、時間経過による同一チャンネル内の番組の切り替わり時点、または受信チャンネルの切り替わりによる番組の切り替わり時点で区切られている。
【００３９】
なお、キャッシュ録画する際に番組の切り替わりにかかわらず１つの連続したコンテンツとして記録しつつ、番組の切り替わり時点でチャプタに区分するためのマーク情報を記録するようにしてもよい。このようにした場合、以降の説明においてコンテンツ単位で行う処理等は、すべてチャプタ単位の処理に置き換えることができる。
【００４０】
ＤＶＲ３に記録される各コンテンツには、番組タイトル名情報、ジャンルコード情報、チャンネル情報、録画開始終了時刻情報等がそれぞれ付加されるとともに、そのコンテンツの録画タイプを示す情報も付加される。この録画タイプを示す情報は、そのコンテンツがキャッシュ録画されたものであるか否かを示すもので、例えばキャッシュ録画の場合は「１」、キャッシュ録画以外の通常録画の場合は「０」とする。
【００４１】
また、コンテンツ情報管理部６は、ＤＶＲ３に記録された各コンテンツのデータ量および各コンテンツの長さ（時間）をコンテンツごとに算出し、その結果を保持する。また、コンテンツ情報管理部６は、ＤＶＲ３に記録された各コンテンツのＤＶＲ３における記録媒体上のアドレスを取得し、これを保持する。
【００４２】
次いで、ステップＳ１５０において、ＣＰＵ８は、ステップＳ１４０でキャッシュ録画した新たなコンテンツについての番組タイトル名情報、ジャンルコード情報、チャンネル情報、録画開始終了時刻情報等を含むコンテンツ情報をバーチャルプレイリスト（ＶＰＬ）に追加登録するようにコンテンツ情報管理部６を制御する。番組タイトル名情報等の情報は、ＥＰＧアナライザ５に保持されている電子番組表情報から取得する。
【００４３】
バーチャルプレイリストは、キャッシュ録画された各コンテンツについてのコンテンツ情報を登録した一時的なプレイリストとしてコンテンツ情報管理部６で生成されて保持されるものであり、ＤＶＲ３にコンテンツＡ，Ｂ，…が記録されるごとに更新される。キャッシュ録画されたコンテンツを遡り再生する際に、このバーチャルプレイリストに従って再生することで、番組の切り替わり等に関係なくシームレスに再生することができる。
【００４４】
次いで、ステップＳ１６０において、ＣＰＵ８は、コンテンツ情報管理部６を参照して、キャッシュ録画によりＤＶＲ３に記録されたすべてのコンテンツのデータ量の合計が、予め設定された一時記録制限を超えているか否かを判断する。一時記録制限を超えている場合（ステップＳ１６０：ＹＥＳ）、ステップＳ１７０に進み、一時記録制限を超えていない場合（ステップＳ１６０：ＮＯ）、ステップＳ１２０に戻り、以降の処理を繰り返す。
【００４５】
ステップＳ１７０において、ＣＰＵ８は、ＤＶＲ３にキャッシュ録画されたコンテンツのデータ量の合計が一時記録制限を超えないようになるまで、キャッシュ録画された順番が早いコンテンツから順に、コンテンツ単位で消去する。図３に示す例では、コンテンツＡの一部が一時記録制限２１を超えているため、コンテンツＡを消去する。
【００４６】
なお、一時記録制限内に全く含まれないコンテンツがなくなるまで、キャッシュ録画された順番が早いコンテンツから順に消去するようにしてもよい。このようにした場合、図３の例では、コンテンツＡは消去せず、コンテンツＡよりも以前にキャッシュ録画されたコンテンツがあれば、そのコンテンツを消去する。
【００４７】
また、一時記録制限は、上記のようなデータ量による制限ではなく、記録時間による制限として設定するようにし、コンテンツの記録時間の合計が一時記録制限を超えているか否かの判断をするようにしてもよい。
【００４８】
次いで、ステップＳ１８０において、ＣＰＵ８は、ステップＳ１７０で消去したコンテンツに対応するコンテンツ情報をバーチャルプレイリストから消去するようにコンテンツ情報管理部６を制御する。
【００４９】
ステップＳ１２０でキャッシュ録画を停止すると判断した場合、ＣＰＵ８は、ステップＳ１９０において、キャッシュ録画を停止し、ステップＳ２００において、ＤＶＲ３に記録されているコンテンツのうち、録画タイプを示す情報が「１」であるコンテンツを消去する。
【００５０】
そして、ステップＳ２１０において、ＣＰＵ８は、バーチャルプレイリストを消去するようにコンテンツ情報管理部６を制御する。
【００５１】
本実施の形態では、上記のようにキャッシュ録画を行いつつ再生を行っている際に、現在再生している位置よりも過去にキャッシュ録画した位置を指定することで、その位置から再生する遡り再生を行うことができる。この遡り再生中に、続きは後で視聴することに気が変わったり、所用により視聴できなくなったりした場合、または番組が気に入り保存しておきたいとユーザが考えたときに、キャッシュ録画したものを録画保存するための手順を説明する。
【００５２】
図４はキャッシュ録画したコンテンツを録画保存するための手順を示すフローチャートである。ステップＳ３１０において、録画コンテンツの再生中にユーザ操作による録画指示が入力されると、ＣＰＵ８は、ステップＳ３２０において、ＤＶＲ３に記録されたコンテンツに付加された録画タイプを示す情報に基づいて、通常録画のコンテンツを再生しているのか否かを判断する。通常録画のコンテンツを再生している場合（ステップＳ３２０：ＹＥＳ）、そのまま再生を続け、通常録画のコンテンツを再生していない場合（ステップＳ３２０：ＮＯ）、ステップＳ３３０に進む。
【００５３】
ステップＳ３３０において、ＣＰＵ８は、録画タイプを示す情報およびバーチャルプレイリストに基づいて、キャッシュ録画されたコンテンツの遡り再生中か否かを判断する。遡り再生中である場合（ステップＳ３３０：ＹＥＳ）、ステップＳ３４０において、ＣＰＵ８は、遡り再生中のコンテンツの録画タイプを示す情報を「１」から「０」に変更する。
【００５４】
この後に、例えば装置の電源を切断するなどして、キャッシュ録画を破棄する場合には、録画タイプを示す情報が「１」であるコンテンツを消去し、バーチャルプレイリストも消去するが、録画タイプを示す情報を「１」から「０」に変更したコンテンツは消去されないため、録画保存することができる。
【００５５】
遡り再生中でない場合（ステップＳ３３０：ＮＯ）、ステップＳ３５０において、ＣＰＵ８は、通常録画として、チューナ１で受信しているチャンネルの放送信号をエンコーダ２により符号化させ、符号化された符号化データをＤＶＲ３に記録させる。
【００５６】
上記説明のように本実施の形態の記録再生装置は、受信中のチャンネルの番組が切り替わった時点、および受信するチャンネルが切り替わった時点のうちの少なくとも一方の時点を区切りとして分割したコンテンツごとにキャッシュ録画し、キャッシュ録画した各コンテンツについての番組タイトル名情報等を含むコンテンツ情報を登録したバーチャルプレイリストを生成する。このバーチャルプレイリストに従って再生することで、番組の切り替わり等に関係なくシームレスに遡り再生を行うことができる。また、記録媒体の専用領域や専用デバイスを設けることなく、通常の録画に使用する記録領域を用いてキャッシュ録画を行うことができる。
【００５７】
また、遡り再生中に外部から録画指示が入力された場合、遡り再生中のコンテンツをキャッシュ録画から通常録画に変更して保存するので、キャッシュ録画したコンテンツを簡単な操作により短時間で録画保存することができる。
【００５８】
なお、キャッシュ録画されたコンテンツの遡り再生中に録画指示が入力された場合、現在受信中のチャンネルの番組の現時点からの録画保存、現在遡り再生中のコンテンツのみの録画保存、現時点でキャッシュ録画されているすべてのコンテンツの録画保存のうちのいずれの録画保存を行うかを選択するための選択画面をＣＰＵ８により生成し、ＯＳＤ７を介して表示するようにしてもよい。
【００５９】
この場合に、現在受信中のチャンネルの番組の現時点からの録画保存をする指示が入力されると、ＣＰＵ８は、通常録画として、チューナ１で受信しているチャンネルの放送信号をエンコーダ２により符号化させ、符号化された符号化データをＤＶＲ３に記録させる。また、遡り再生中のコンテンツのみの録画保存をする指示が入力されると、ＣＰＵ８は、遡り再生中のコンテンツの録画タイプを示す情報を「１」から「０」に変更することで、通常録画のコンテンツに変更する。また、現時点でキャッシュ録画されているすべてのコンテンツの録画保存をする指示が入力されると、ＣＰＵ８は、キャッシュ録画されているすべてのコンテンツの録画タイプを示す情報を「１」から「０」に変更することで、通常録画のコンテンツに変更する。
【００６０】
このようにすることで、ユーザの録画保存に対する選択肢を増やし、ユーザの意思を反映させることができる。
【００６１】
また、電子番組表情報およびプレイリストを用いて、現時点で放送終了時刻を経過している番組のうち、キャッシュ録画されたコンテンツに対応する番組を選択可能な電子番組表画面をＣＰＵ８により生成し、ＯＳＤ７を介して表示することができるようにしてもよい。
【００６２】
このような電子番組表画面の表示中に、キャッシュ録画されたコンテンツに対応する番組を選択して録画保存する指示が入力された場合、ＣＰＵ８は、選択された番組に対応するコンテンツの録画タイプを示す情報を「１」から「０」に変更することで、通常録画のコンテンツに変更する。
【００６３】
通常、電子番組表は、過去の番組は表示しないか、またはグレーアウトされ選択できないように表示されるが、上記のような電子番組表画面によりキャッシュ録画されたコンテンツに対応する番組を選択可能とすることで、過去の番組であっても通常の録画予約と同様の操作により録画保存することができる。
【図面の簡単な説明】
【００６４】
【図１】本発明の実施の形態に係る記録再生装置の構成を示すブロック図である。
【図２】図１に示す記録再生装置のキャッシュ録画時の動作を示すフローチャートである。
【図３】コンテンツの記録状態を示す概念図である。
【図４】図１に示す記録再生装置においてキャッシュ録画したコンテンツを録画保存するための手順を示すフローチャートである。
【符号の説明】
【００６５】
１  チューナ
２  エンコーダ
３  デジタルビデオレコーダ（ＤＶＲ）
４  デコーダ
５  ＥＰＧアナライザ
６  コンテンツ情報管理部
７  オンスクリーンディスプレイ（ＯＳＤ）
８  ＣＰＵ
９  テレビモニタ
【図１】
0004893509.tif 000002
【図２】
0004893509.tif 000003
【図３】
0004893509.tif 000004
【図４】
0004893509.tif 000005